【手続補正書】
【提出日】平成29年7月6日(2017.7.6)
【手続補正１】
【補正対象書類名】特許請求の範囲
【補正対象項目名】全文
【補正方法】変更
【補正の内容】
【特許請求の範囲】
【請求項１】
他の通信装置との間で構築された第１通信コネクションに基づいて通信されるメッセージのヘッダ部を圧縮するための第１ヘッダ圧縮用テーブルを生成する生成手段と、
前記生成手段により生成された前記第１ヘッダ圧縮用テーブルに基づいてヘッダ部が圧縮されたメッセージを、前記他の通信装置との間で構築された前記第１通信コネクションに基づいて前記他の通信装置へ送信する送信手段と、
前記第１通信コネクションとは異なる第２通信コネクションであって前記他の通信装置との間で構築された第２通信コネクションに基づいて通信されるメッセージのヘッダ部を圧縮するための第２ヘッダ圧縮用テーブルとして、前記生成手段による生成済の前記第１ヘッダ圧縮用テーブルを用いるか否かを決定する決定手段と、
前記決定手段による決定に応じて前記第１ヘッダ圧縮用テーブルを用いて、前記第２通信コネクションに基づいて通信されるメッセージのヘッダ部を圧縮する圧縮手段とを有する通信装置。
【請求項２】
前記決定手段が前記第２ヘッダ圧縮用テーブルとして前記第１ヘッダ圧縮用テーブルを用いないことを決定した場合、前記生成手段は、新規にヘッダ圧縮用テーブルを生成する請求項１に記載の通信装置。
【請求項３】
前記他の通信装置との間で構築された前記第１通信コネクションを切断するための切断処理を実行する切断手段を有し、
前記決定手段は、前記切断処理の実行に応じたタイミングにおける前記通信装置のパラメータに基づいて、前記第２ヘッダ圧縮用テーブルとして前記第１ヘッダ圧縮用テーブルを用いるか否かを決定する請求項１又は２に記載の通信装置。
【請求項４】
前記決定手段は、
前記切断処理の実行に応じたタイミングにおける前記通信装置のパラメータとして、前記他の通信装置との間の無線ＬＡＮ接続が継続しているか否かを示す無線ＬＡＮ接続情報を取得し、
前記取得された無線ＬＡＮ接続情報が、前記無線ＬＡＮ接続が継続していることを示す場合、前記第２ヘッダ圧縮用テーブルとして、前記第１ヘッダ圧縮用テーブルを用いることを決定し、
前記取得された無線ＬＡＮ接続情報が、前記無線ＬＡＮ接続が継続していないことを示す場合、前記第２ヘッダ圧縮用テーブルとして、前記第１ヘッダ圧縮用テーブルを用いないことを決定する請求項３に記載の通信装置。
【請求項５】
前記決定手段は、
前記切断処理の実行に応じたタイミングにおける前記通信装置のパラメータとして、前記他の通信装置との間の認証状態が継続しているか否かを示す認証情報を取得し、
前記取得された認証情報が、前記認証状態が継続していることを示す場合、前記第２ヘッダ圧縮用テーブルとして、前記第１ヘッダ圧縮用テーブルを用いることを決定し、
前記取得された認証情報が、前記認証状態が継続していないことを示す場合、前記第２ヘッダ圧縮用テーブルとして、前記第１ヘッダ圧縮用テーブルを用いないことを決定する請求項３に記載の通信装置。
【請求項６】
前記決定手段は、
前記切断処理の実行に基づくタイミングにおける前記通信装置のパラメータとして、前記通信装置と前記他の通信装置との間のサービス利用状態が継続しているか否かを示すサービス利用情報を取得し、
前記取得されたサービス利用情報が、前記サービス利用状態が継続していることを示す場合、前記第２ヘッダ圧縮用テーブルとして、前記第１ヘッダ圧縮用テーブルを用いることを決定し、
前記取得されたサービス利用情報が、前記サービス利用状態が継続していないことを示す場合、前記第２ヘッダ圧縮用テーブルとして、前記第１ヘッダ圧縮用テーブルを用いないことを決定する請求項３に記載の通信装置。
【請求項７】
前記決定手段は、
前記通信装置と前記他の通信装置との間の通信履歴を示す履歴情報を取得し、前記取得された履歴情報を用いて、前記第２ヘッダ圧縮用テーブルとして、前記第１ヘッダ圧縮用テーブルを用いるか否かを決定する請求項１乃至３のうち何れか１項に記載の通信装置。
【請求項８】
前記決定手段が前記第２ヘッダ圧縮用テーブルとして前記第１ヘッダ圧縮用テーブルを用いることを決定した場合、前記決定を前記他の通信装置に通知する通知手段を有する請求項１乃至７のうち何れか１項に記載の通信装置。
【請求項９】
前記決定手段は、
前記他の通信装置との間における前記第２通信コネクションの構築時に、前記他の通信装置との間の前記第１通信コネクションが切断されていない場合、前記第２ヘッダ圧縮用テーブルとして、前記第１ヘッダ圧縮用テーブルを用いることを決定し、
前記他の通信装置との間における前記第２通信コネクションの構築時に、前記他の通信装置との間の前記第１通信コネクションが切断されている場合、前記第２ヘッダ圧縮用テーブルとして、前記第１ヘッダ圧縮用テーブルを用いないことを決定する請求項１乃至３のうち何れか１項に記載の通信装置。
【請求項１０】
前記第１及び第２通信コネクションはHTTPにおけるコネクションであり、前記圧縮手段は、HTTPリクエストのヘッダフィールド、及び、HTTPレスポンスのヘッダフィールドのうち少なくとも何れかを圧縮する請求項１乃至９のうち何れか１項に記載の通信装置。
【請求項１１】
通信制御方法であって、
他の通信装置との間で第１通信コネクションを構築する第１構築ステップと、
他の通信装置との間で前記第１通信コネクションとは異なる第２通信コネクションを構築する第２構築ステップと、
他の通信装置との間で構築された前記第１通信コネクションに基づいて通信されるメッセージのヘッダ部を圧縮するための第１ヘッダ圧縮用テーブルを用いて前記第２通信コネクションに基づいて通信されるメッセージのヘッダ部を圧縮するか否かを決定する決定ステップと、
前記決定に応じて、前記第１ヘッダ圧縮用テーブルを用いて前記第２通信コネクションに基づいて通信されるメッセージのヘッダ部を圧縮する圧縮ステップとを有する通信制御方法。
【請求項１２】
前記第１ヘッダ圧縮用テーブルを用いずに前記第２通信コネクションに基づいて通信されるメッセージのヘッダ部を圧縮することが前記決定ステップにおいて決定された場合、前記第２通信コネクションに基づいて通信されるメッセージのヘッダ部を圧縮するためのヘッダ圧縮用テーブルを新規に生成する請求項１１に記載の通信制御方法。
【請求項１３】
前記他の通信装置との間で構築された前記第１通信コネクションを切断するための切断処理を実行する切断ステップを有し、
前記切断処理の実行に応じたタイミングにおける前記通信装置のパラメータに基づいて、前記第１ヘッダ圧縮用テーブルを用いて前記第２通信コネクションに基づくメッセージのヘッダ部を圧縮するか否かが前記決定ステップにおいて決定される請求項１１又は１２に記載の通信制御方法。
【請求項１４】
前記切断処理の実行に応じたタイミングにおける前記通信装置のパラメータとして、前記他の通信装置との間の無線ＬＡＮ接続が継続しているか否かを示す無線ＬＡＮ接続情報が取得され、
前記取得された無線ＬＡＮ接続情報が、前記無線ＬＡＮ接続が継続していることを示す場合、前記決定ステップにおいて前記第１ヘッダ圧縮用テーブルを用いて前記第２通信コネクションに基づくメッセージのヘッダ部を圧縮することが決定され、
前記取得された無線ＬＡＮ接続情報が、前記無線ＬＡＮ接続が継続していないことを示す場合、前記決定ステップにおいて前記第１ヘッダ圧縮用テーブルを用いずに前記第２通信コネクションに基づくメッセージのヘッダ部を圧縮することが決定される請求項１３に記載の通信制御方法。
【請求項１５】
コンピュータを請求項１乃至１０のうちいずれか１項に記載の通信装置の各手段として動作させるためのプログラム。
【手続補正２】
【補正対象書類名】明細書
【補正対象項目名】０００７
【補正方法】変更
【補正の内容】
【０００７】
上記の目的を達成するための一手段として、本発明に係る通信装置は以下の構成を有する。すなわち、他の通信装置との間で構築された第１通信コネクションに基づいて通信されるメッセージのヘッダ部を圧縮するための第１ヘッダ圧縮用テーブルを生成する生成手段と、前記生成手段により生成された前記第１ヘッダ圧縮用テーブルに基づいてヘッダ部が圧縮されたメッセージを、前記他の通信装置との間で構築された前記第１通信コネクションに基づいて前記他の通信装置へ送信する送信手段と、前記第１通信コネクションとは異なる第２通信コネクションであって前記他の通信装置との間で構築された第２通信コネクションに基づいて通信されるメッセージのヘッダ部を圧縮するための第２ヘッダ圧縮用テーブルとして、前記生成手段による生成済の前記第１ヘッダ圧縮用テーブルを用いるか否かを決定する決定手段と、前記決定手段による決定に応じて前記第１ヘッダ圧縮用テーブルを用いて、前記第２通信コネクションに基づいて通信されるメッセージのヘッダ部を圧縮する圧縮手段とを有する。